(57)【特許請求の範囲】
【請求項１】
流体を通すために挿入部内に挿通配置された可撓性チューブが、上記挿入部先端の先端部本体に設けられた流路孔に後方から接続された内視鏡の先端部において、
上記先端部本体の後端面部の上記流路孔の入口部分に、上記流路孔の内径より大きく且つ上記可撓性チューブの外径より大きな内径を有する座繰り状の孔を穿設して、上記可撓性チューブの先端に差し込み接続される接続パイプの先寄りの部分を上記流路孔に挿通固着すると共に、上記接続パイプの後寄りの部分を上記先端部本体の流路孔から上記座繰り状の孔の軸線位置に突出配置し、上記可撓性チューブの内面と上記接続パイプの外面とを接着すると共に、上記可撓性チューブの外面と上記座繰り状の孔の内面とを接着したことを特徴とする内視鏡の先端部。
【発明の詳細な説明】
【０００１】
【発明の属する技術分野】
この発明は内視鏡の先端部に関する。
【０００２】
【従来の技術】
内視鏡においては一般に、流体を通すために挿入部内に挿通配置された可撓性チューブが、挿入部先端の先端部本体に設けられた流路に後方から接続、固着されている。
【０００３】
図３は、そのような従来の内視鏡の先端部の一例を示しており、先端部本体９１の流路９２から後方に突出配置された接続パイプ９３が可撓性チューブ９４の先端内に差し込まれて、両者が接着されている。
【０００４】
【発明が解決しようとする課題】
先端部本体９１の長さは対物光学系９５を支持する鏡枠９６の長さ等によって決まり、その先端部本体９１の長さによって内視鏡挿入部のいわゆる先端硬質部長が決まる。
【０００５】
しかし、上述のような構成をとる内視鏡の先端部においては、接続パイプ９３が先端部本体９１からその後方に突出するため、その分だけ先端硬質部が長くなって、内視鏡検査を受ける人に与える苦痛が大きくなってしまう。
【０００６】
そこで、接続パイプ９３を取り除いて、先端部本体９１の流路９２に可撓性チューブ９４を直接差し込んで接着するようにしたものもあるが、可撓性チューブ９４に対する外面接着だけでは接続強度の確保が難しいので、確実な接続強度を確保しようとすると先端部本体９１が長くなって、結局、先端硬質部長が長くなってしまう。
【０００７】
そこで本発明は、流体を通すために挿入部内に挿通配置された可撓性チューブと先端部本体の流路との接続強度を十分に確保することができ、しかも先端硬質部長を短く構成することができる内視鏡の先端部を提供することを目的とする。
【０００８】
【課題を解決するための手段】
上記の目的を達成するため、本発明の内視鏡の先端部は、流体を通すために挿入部内に挿通配置された可撓性チューブが、挿入部先端の先端部本体に設けられた流路に後方から接続された内視鏡の先端部において、先端部本体の後端面部に可撓性チューブの外径より大きな内径を有する座繰り状の孔を穿設して、可撓性チューブの先端に差し込み接続される接続パイプを先端部本体の流路側から座繰り状の孔の軸線位置に突出配置し、可撓性チューブの内面と接続パイプの外面とを接着すると共に、可撓性チューブの外面と座繰り状の孔の内面とを接着したものである。
【０００９】
【発明の実施の形態】
図面を参照して本発明の実施例を説明する。
図２は内視鏡の全体構成を示しており、可撓管状の挿入部１の先端には、対物光学系等を内蔵する先端部本体２が連結されている。
【００１０】
挿入部１の基端に連結された操作部３には送気送水操作弁４等が配置され、その送気送水操作弁４から送り出される空気と水を通すための例えば四フッ化エチレン樹脂チューブ等のような可撓性チューブからなる送気送水チューブ５が、挿入部１内に全長にわたって挿通配置されて先端部本体２に後方から接続されている。
【００１１】
図１は先端部本体２部分を示しており、金属製の先端部本体２の外面には電気絶縁性の先端キャップ１ａが被着されていて、観察窓Ａと照明窓Ｂが側面部分に並んで配置されている。
【００１２】
観察窓Ａの奥には、ダハプリズム６と対物光学系７による被写体の投影位置にイメージガイドファイババンドル８の入射端面が配置され、照明窓Ｂの奥には、ライトガイドファイババンドル９の射出端部が配置されている。
【００１３】
１０は、対物光学系７とイメージガイドファイババンドル８の入射端部を支持する鏡枠であり、先端部本体２に軸線と平行方向に形成された孔に嵌挿されて、図示されていない小ネジにより先端部本体２に固定されている。
【００１４】
観察窓Ａの表面に向けて配置された送気送水ノズル１２の後半部分は、送気送水チューブ５を通って送られてきた空気と水を通過させるために先端部本体２に穿設された流路孔１１に半田付け等によって固着されており、その流路孔１１の後方の先端部本体２の後端面部には、送気送水チューブ５の外径より大きな内径を有する座繰り状の孔１３が穿設されている。
【００１５】
なお、送気送水チューブ５の外周面には螺旋溝が形成されて、そこに補強用の金属コイルが巻き付けられている。ただし、送気送水チューブ５は何も巻かれていない単純な可撓性チューブであってもよい。
【００１６】
送気送水チューブ５が接続されるステンレス鋼パイプ製の接続パイプ１５は、先寄りの部分が流路孔１１の内周面に固着され、後寄りの部分が流路孔１１側から座繰り状の孔１３の軸線位置に突出するように配置されている。
【００１７】
なお、接続パイプ１５の後端は先端部本体２の後端面から僅かだけ突出しているが、座繰り状の孔１３内から全く突出しないように配置してもよい。また、製造上は、送気送水ノズル１２と接続パイプ１５とを予め一体に形成しておいてもよい。
【００１８】
そして、座繰り状の孔１３に差し込まれた送気送水チューブ５の先端部分内に接続パイプ１５が差し込まれた状態になっていて、送気送水チューブ５の内面と接続パイプ１５の外面とが接着され、送気送水チューブ５の外面と座繰り状の孔１３の内面とが接着されている。
【００１９】
したがって、送気送水チューブ５に対する接着代の長さ（即ち、ほぼ座繰り状の孔１３の深さ）が短くても強固な接続強度が得られ、先端部本体２の長さを長くする必要も、接続パイプ１５を先端部本体２の後方に突出させる必要もない。
【００２０】
なお、本発明は上記実施例に限定されるものではなく、例えば送気送水チューブ５は送気用と送水用が別々に独立して設けられたものであってもよく、本発明を吸引チューブの接続部等に適用しても差し支えない。
【００２１】
また、上記実施例の内視鏡は側方視型であるが、前方視型あるいは斜視型の内視鏡の先端部に本発明を適用することもできる。
【００２２】
【発明の効果】
本発明によれば、可撓性チューブの先端部分が、内面において接続パイプの外面と接着され、外面において座繰り状の孔の内面に接着されることにより、接着代の長さが短くても可撓性チューブと先端部本体の流路との接続強度を十分に確保することができるので、先端部本体の長さを長くする必要も、接続パイプを先端部本体の後方に突出させる必要もなく、挿入部の先端硬質部長を短く構成することができる。
【図面の簡単な説明】
【図１】本発明の実施例の内視鏡の先端部の側面断面図である。
【図２】本発明の実施例の内視鏡の全体構成を示す側面図である。
【図３】従来の内視鏡の先端部の側面断面図である。
【符号の説明】
１  挿入部
２  先端部本体
５  送気送水チューブ（可撓性チューブ）
１１  流路孔（流路）
１２  送気送水ノズル
１３  座繰り状の孔
１５  接続パイプ
【図１】
0004021187.tif 000002
【図２】
0004021187.tif 000003
【図３】
0004021187.tif 000004